(57)【要約】【課題】この発明は、同一種別の用紙が複数の給紙カセットに収容される場合に、当該同一種別の用紙の全体的な残量状態を反映した用紙残量を、それらの各給紙カセットの用紙残量状態として表示させることができ、用紙補給作業の効率化等が図れるようになる画像形成装置を提供することを目的とする。【解決手段】自己以外の他の給紙カセットに収容されるべき用紙種別の中に、自己の給紙カセットに収容されるべき用紙種別と同一のものが存在している、当該自己の給紙カセットに対しては、収納されるべき用紙種別が当該自己の給紙カセットに収容されるべき用紙種別と同一である全ての給紙カセットの実際の残量状態のほぼ平均値を、その給紙カセットに対する表示用残量状態データとして生成する手段を備えている。【選択図】図５
2008249840.tif 000002
【特許請求の範囲】
【請求項１】
複数の給紙カセットを備えた画像形成装置において、
各給紙カセットに収容されている用紙の実際の残量状態を検出する用紙残量状態検出手段、
各給紙カセットに収容されるべき用紙種別および各給紙カセットに収容されている用紙の残量状態に基づいて、各給紙カセット毎に表示用残量状態データを生成するデータ生成手段、ならびに
各給紙カセット毎に生成された表示用残量状態データに基づいて、各給紙カセットに対する残量状態を表示部に表示させる表示手段を備えており、
データ生成手段は、
自己以外の他の給紙カセットに収容されるべき用紙種別の中に、自己の給紙カセットに収容されるべき用紙種別と同一のものが存在していない、当該自己の給紙カセットに対しては、その給紙カセットの実際の残量状態を、その給紙カセットに対する表示用残量状態データとして生成する手段、ならびに
自己以外の他の給紙カセットに収容されるべき用紙種別の中に、自己の給紙カセットに収容されるべき用紙種別と同一のものが存在している、当該自己の給紙カセットに対しては、収納されるべき用紙種別が当該自己の給紙カセットに収容されるべき用紙種別と同一である全ての給紙カセットの実際の残量状態のほぼ平均値を、その給紙カセットに対する表示用残量状態データとして生成する手段、
を備えていることを特徴とする画像形成装置。
【請求項２】
複数の給紙カセットを備えた画像形成装置において、
各給紙カセットに収容されている用紙の実際の残量状態を検出する用紙残量状態検出手段、
各給紙カセットに収容されるべき用紙種別および各給紙カセットに収容されている用紙の残量状態に基づいて、各給紙カセット毎に表示用残量状態データを生成するデータ生成手段、ならびに
各給紙カセット毎に生成された表示用残量状態データに基づいて、各給紙カセットに対する残量状態を表示部に表示させる表示手段を備えており、
データ生成手段は、
自己以外の他の給紙カセットに収容されるべき用紙種別の中に、自己の給紙カセットに収容されるべき用紙種別と同一のものが存在していない、当該自己の給紙カセットに対しては、その給紙カセットの実際の残量状態を、その給紙カセットに対する表示用残量状態データとして生成する手段、ならびに
自己以外の他の給紙カセットに収容されるべき用紙種別の中に、自己の給紙カセットに収容されるべき用紙種別と同一のものが存在している、当該自己の給紙カセットに対しては、収納されるべき用紙種別が当該自己の給紙カセットに収容されるべき用紙種別と同一である全ての給紙カセットの実際の残量状態のうちの最大値を、その給紙カセットに対する表示用残量状態データとして生成する手段、
を備えていることを特徴とする画像形成装置。
【発明の詳細な説明】
【技術分野】
【０００１】
この発明は、プリンタ、複写機等の画像形成装置に関する。
【背景技術】
【０００２】
特開昭６４−２２５７５号公報には、外部装置から受信した用紙指定情報と、複数の用紙供給部それぞれに収容されている印刷用紙の種別を表す用紙種別情報とを照合して、両情報が一致した印刷用紙を収容している１つの用紙供給部を今回使用する用紙供給部として選択し、その用紙供給部についての用紙残量情報から印刷用紙の減少を認識したとき、別の同一種別の印刷用紙を収容した用紙供給部に今回使用する用紙供給部を切り替えるようにした印刷装置が開示されている。
【特許文献１】特開昭６４−２２５７５号公報
【発明の開示】
【発明が解決しようとする課題】
【０００３】
複写機、プリンタ等の画像形成装置として、複数の給紙カセットを備えたものが知られている。この種の画像形成装置において、各給紙カセット内の用紙残量状態を表示する機能を備えたものが既に開発されている。
【０００４】
ユーザによっては、同一種別の用紙を複数の給紙カセットに収容する場合もある。このような場合でも、他に同一種別の用紙が収容されている給紙カセットがあるか否かにかかわらず、各給紙カセット毎にその給紙カセット内の実際の用紙残量状態が表示される。
【０００５】
しかしながら、同一種別の用紙が２つの給紙カセットに収容されている場合において、一方の給紙カセットが空になっても、他方の給紙カセットに多くの用紙が残っていれば、空になった給紙カセットに対して用紙を補給する必要はない。同一種別の用紙が２つの給紙カセットに収容されている場合には、同一種別の用紙が収容されている両方の給紙カセット内の用紙残量が共に少なくなったときに、両方の給紙カセットに対する用紙補給作業を行なうようにすると作業効率が向上する。
【０００６】
この発明は、同一種別の用紙が複数の給紙カセットに収容される場合に、当該同一種別の用紙の全体的な残量状態を反映した用紙残量を、それらの各給紙カセットの用紙残量状態として表示させることができ、用紙補給作業の効率化等が図れるようになる画像形成装置を提供することを目的とする。
【課題を解決するための手段】
【０００７】
請求項１に記載の発明は、複数の給紙カセットを備えた画像形成装置において、各給紙カセットに収容されている用紙の実際の残量状態を検出する用紙残量状態検出手段、各給紙カセットに収容されるべき用紙種別および各給紙カセットに収容されている用紙の残量状態に基づいて、各給紙カセット毎に表示用残量状態データを生成するデータ生成手段、ならびに各給紙カセット毎に生成された表示用残量状態データに基づいて、各給紙カセットに対する残量状態を表示部に表示させる表示手段を備えており、データ生成手段は、自己以外の他の給紙カセットに収容されるべき用紙種別の中に、自己の給紙カセットに収容されるべき用紙種別と同一のものが存在していない、当該自己の給紙カセットに対しては、その給紙カセットの実際の残量状態を、その給紙カセットに対する表示用残量状態データとして生成する手段、ならびに自己以外の他の給紙カセットに収容されるべき用紙種別の中に、自己の給紙カセットに収容されるべき用紙種別と同一のものが存在している、当該自己の給紙カセットに対しては、収納されるべき用紙種別が当該自己の給紙カセットに収容されるべき用紙種別と同一である全ての給紙カセットの実際の残量状態のほぼ平均値を、その給紙カセットに対する表示用残量状態データとして生成する手段を備えていることを特徴とする。
【０００８】
請求項２に記載の発明は、複数の給紙カセットを備えた画像形成装置において、各給紙カセットに収容されている用紙の実際の残量状態を検出する用紙残量状態検出手段、各給紙カセットに収容されるべき用紙種別および各給紙カセットに収容されている用紙の残量状態に基づいて、各給紙カセット毎に表示用残量状態データを生成するデータ生成手段、ならびに各給紙カセット毎に生成された表示用残量状態データに基づいて、各給紙カセットに対する残量状態を表示部に表示させる表示手段を備えており、データ生成手段は、自己以外の他の給紙カセットに収容されるべき用紙種別の中に、自己の給紙カセットに収容されるべき用紙種別と同一のものが存在していない、当該自己の給紙カセットに対しては、その給紙カセットの実際の残量状態を、その給紙カセットに対する表示用残量状態データとして生成する手段、ならびに自己以外の他の給紙カセットに収容されるべき用紙種別の中に、自己の給紙カセットに収容されるべき用紙種別と同一のものが存在している、当該自己の給紙カセットに対しては、収納されるべき用紙種別が当該自己の給紙カセットに収容されるべき用紙種別と同一である全ての給紙カセットの実際の残量状態のうちの最大値を、その給紙カセットに対する表示用残量状態データとして生成する手段を備えていることを特徴とする。
【発明の効果】
【０００９】
この発明によれば、同一種別の用紙が複数の給紙カセットに収容される場合に、当該同一種別の用紙の全体的な残量状態を反映した用紙残量を、それらの各給紙カセットの用紙残量状態として表示させることができ、用紙補給作業の効率化等が図れるようになる。
【発明を実施するための最良の形態】
【００１０】
以下、図面を参照して、本発明を複写機能およびプリンタ機能を備えた複合機に提供した場合の実施例について説明する。
【実施例１】
【００１１】
〔１〕複合機の構成
図１は、複写機能およびプリンタ機能を備えた複合機の構成を示している。
【００１２】
複合機は、全体的な制御を行なうＣＰＵ１を備えている。ＣＰＵ１には、表示部２、操作部３、記憶部４、Ｉ／Ｆ５、画像メモリ６および読取部７が接続されている。
【００１３】
この複合機は、複数の給紙カセットを備えている。この例では、Ｎ個の給紙カセットを備えている。各給紙カセットに対して、それに収容されるべき印刷用紙の種別を検出するための用紙種別検出手段１１＿１〜１１＿Ｎが設けられているとともに、それに収容されている印刷用紙の残量（用紙残量）を検出するための用紙残量検出手段１２＿１〜１２＿Ｎが設けられている。
【００１４】
用紙種別検出手段１１＿１〜１１＿Ｎは、この例では、給紙カセットに収容されるべき印刷用紙のサイズと給紙カセットに収容されるべき印刷用紙の向きとを検出する機能を備えている。印刷用紙のサイズと向きは、例えば、次のようにして検出される。給紙カセット内には、印刷用紙を給紙可能な位置に収納するために用紙ガイドが設けられている。用紙ガイドには、印刷用紙の給紙方向（縦方向）の長さを規定するための縦規定用ガイドと、印刷用紙の給紙方向と直交する方向（横方向）の長さ（幅）を規定する横規定用ガイドとがある。縦規定用ガイドは、給紙カセットに縦方向にスライド自在にかつ任意位置で給紙カセットに保持されうるように設けられている。横規定用ガイドは、給紙カセットに横方向にスライド自在にかつ任意位置で給紙カセットに保持されうるように設けられている。給紙カセットに収納されるべき用紙のサイズおよび向きに応じた位置に縦規定用ガイドおよび横規定用ガイドの位置が設定されている状態において、これらの縦規定用ガイドおよび横規定用ガイドの給紙カセットに対する位置を検出することにより、給紙カセットに収納されるべき用紙のサイズおよび向きが検出される。
【００１５】
用紙残量検出手段１２＿１〜１２＿Ｎは、この例では、印刷用紙が空であるか否か、印刷用紙が給紙カセット満杯状態の３０％未満であるか３０％以上であるか、印刷用紙が給紙カセット満杯状態の６０％未満であるか６０％以上であるかをそれぞれ検出する機能を備えている。
【００１６】
用紙種別検出手段１１＿１〜１１＿Ｎおよび用紙残量検出手段１２＿１〜１２＿Ｎは、ＣＰＵ１に接続されている。
【００１７】
この複合機は、表示部２に、各給紙カセット毎に用紙残量状態を表示させる機能を備えている。ただし、同一種別の用紙が複数の給紙カセットに収容されるようになっている場合には、当該同一種別の用紙の全体的な残量を反映した用紙残量を、それらの各給紙カセットの用紙残量状態として表示させるようになっている。各給紙カセット毎の用紙残量状態を表示部２に表示するために生成される残量状態データを表示用残量状態データということにする。
【００１８】
各給紙カセット毎の表示用残量状態データは、所定のタイミングで更新される。所定のタイミングとは、電源がオンされたとき、いずれかの給紙カセットが引き出された後に押し込まれたとき、使用枚数カウンタが前回の表示用残量状態データ更新時から所定量増加したとき等である。
【００１９】
〔２〕表示用残量状態データの更新処理
以下の説明において、各給紙カセットをＫn （ｎ＝１，２，…，Ｎ）で表すことにする。
【００２０】
各給紙カセットの実際の用紙残量状態（実残量状態データ）は、”０”〜”３”の４段階で表される。”０”は、用紙が存在していない状態を、”１”は用紙が満杯状態の３０％未満である状態を、”２”は用紙が満杯状態の３０％以上でかつ６０％未満である状態を、”３”は用紙が満杯状態の６０％以上である状態を、それぞれ表している。実残量状態データをＤn （ｎ＝１，２，…，Ｎ）で表すことにする。また、各給紙カセットＫn に対する表示用残量状態データをＳn （ｎ＝１，２，…，Ｎ）で表すことにする。
【００２１】
記憶部４には、各給紙カセットに収容されるべき用紙の種別コードをカセット番号別に記憶するための用紙種別テーブル、各給紙カセットの実残量状態データＤn をカセット番号別に記憶する実残量状態データテーブルおよび各給紙カセットの表示用残量状態データＳn をカセット番号別に記憶する表示用残量状態データテーブルが設けられている。
【００２２】
図２に用紙種別テーブルの例を示す。用紙種別テーブルには、カセット番号毎に用紙種別コードが記憶される。用紙種別コードは、用紙のサイズと用紙の向きとによって決められるコードである。
【００２３】
図３に、実残量状態データテーブルの例を示す。実残量状態データテーブルには、カセット番号毎に実残量状態データＤn が記憶される。
【００２４】
図４に、表示用残量状態データテーブルの例を示す。表示用残量状態データテーブルには、カセット番号毎に表示用残量状態データＳn が記憶される。表示部２には、表示用残量状態データテーブル内の内容に基づいて、各給紙カセットの用紙残量状態が表示される。例えば、表示用残量状態データＳn の値そのものが各給紙カセットの用紙残量状態として表示部２に表示される。表示用残量状態データＳn の値そのものではなく、表示用残量状態データＳn の値を段階的に表現した模式図を、各給紙カセットの用紙残量状態として表示するようにしてもよい。
【００２５】
図５は、表示用残量状態データの更新処理手順を示している。
【００２６】
まず、用紙種別テーブル、実残量状態データテーブルおよび表示用残量状態データテーブルの内容をクリアする（ステップＳ１）。また、ｎ＝０に設定する（ステップＳ２）。そして、ｎを１だけインクリメントする（ステップＳ３）。用紙種別検出手段１１＿ｎに基づいて、給紙カセットＫn に収容されるべき用紙の種別（サイズおよび向き）を検出して用紙種別テーブルに保存する（ステップＳ４）。用紙残量検出手段１２＿ｎに基づいて、給紙カセットＫn に収容されている用紙の実残量状態データＤn を検出して実残量状態データテーブルに保存する（ステップＳ５）。この後、ｎ≧Ｎであるか否かを判別する（ステップＳ６）。ｎがＮ未満（ｎ＜Ｎ）であれば。ステップＳ３に戻る。
【００２７】
全ての給紙カセットＫ1 〜ＫN に対してステップＳ４およびＳ５の処理が行なわれると、ステップＳ６でＹＥＳとなり、ステップＳ７に移行する。
【００２８】
ステップＳ７では、ｎ＝０に設定する。そして、ｎを１だけインクリメントする（ステップＳ８）。また、ｊおよびｘをクリアする。ｊおよびｘの意味については、後述する。次に、Ｋ1 〜Ｋn の給紙カセットのうち、それに収容されるべき用紙種別が、給紙カセットＫn に収容されるべき用紙種別と同一である給紙カセットの数ｊとカセット番号ｘとを特定する（ステップＳ９）。ｘは少なくともカセット番号ｎを含む１または複数の番号となる。
【００２９】
例えば、現在のｎの値が３（ｎ＝３）であり、Ｋ1 〜Ｋ3 の給紙カセットのうち、給紙カセットＫ3 に収容されている用紙の種別と同一種別の用紙が収容されている給紙カセットがＫ3 のみである場合には、ｊ＝１となり、ｘとしてカセット番号”３”が特定される。Ｋ1 〜Ｋ3 の給紙カセットのうち、給紙カセットＫ3 に収容されている用紙の種別と同一種別の用紙が収容されている給紙カセットがＫ1 とＫ3 の２個である場合には、ｊ＝２となり、ｘとしてカセット番号”１”と”３”が特定される。Ｋ1 〜Ｋ3 の給紙カセットのうち、給紙カセットＫ3 に収容されている用紙の種別と同一種別の用紙が収容されている給紙カセットがＫ2 とＫ3 の２個である場合には、ｊ＝２となり、ｘとしてカセット番号”２”と”３”が特定される。Ｋ1 〜Ｋ3 の給紙カセットのうち、給紙カセットＫ3 に収容されている用紙の種別と同一種別の用紙が収容されている給紙カセットがＫ1 と Ｋ2 とＫ3 の３個である場合には、ｊ＝３となり、ｘとしてカセット番号”１”と”２”と”３”が特定される。
【００３０】
ｊ＝１であるか否かを判別する（ステップＳ１０）。ｊ＝１である場合、つまり、Ｋ1 〜Ｋn の給紙カセットのうち、それに収容されるべき用紙種別が、給紙カセットＫn に収容されるべき用紙種別と同一である給紙カセットが給紙カセットＫn のみである場合には、給紙カセットＫn の実残量状態データＤn を給紙カセットＫn の対する表示用残量状態データＳn として表示用残量状態データテーブルに書き込む（ステップＳ１１）。この後、ｎ≧Ｎであるか否かを判別する（ステップＳ１４）。ｎがＮ未満（ｎ＜Ｎ）であれば、ステップＳ８に戻る。
【００３１】
上記ステップＳ１０において、ｊ＝１でない場合、つまり、Ｋ1 〜Ｋn の給紙カセットのうち、それに収容されるべき用紙種別が、給紙カセットＫn に収容されるべき用紙種別と同一である給紙カセットが２以上存在している場合には、次式（１）に基づいて、給紙カセットＫn の対する表示用残量状態データＳn を算出して、表示用残量状態データテーブルに書き込む（ステップＳ１２）。
【００３２】
Ｓn ＝ｉｎｔ〔｛Ｓx ×（ｊ−１）＋Ｄn ＋（ｊ−１）｝／ｊ〕  …（１）
【００３３】
ｉｎｔ〔Ａ〕は、Ａの小数点以下を切り捨てることを意味する記号である。Ｓx は、上記ステップＳ９で特定された給紙カセットＫx のうち、Ｋn 以外の給紙カセットＫx に対して既に設定されている表示用残量状態データを示している。なお、Ｋn 以外の給紙カセットＫx が複数個ある場合でも、後述するステップＳ１３の処理より、それらの給紙カセットＫx に対する表示用残量状態データは全て同じ値となっている。Ｄn は、給紙カセットＫn の実残量状態データである。
【００３４】
ところで、Ｋ1 〜Ｋn の給紙カセットのうち、それに収容されるべき用紙種別が、給紙カセットＫn に収容されるべき用紙種別と同一である給紙カセットの実残量状態データの平均値＊Ｓを求めるための式は、次式（２）で表される。
【００３５】
＊Ｓ＝｛Ｚ×（ｊ−１）＋Ｙ｝／ｊ  …（２）
【００３６】
数式（１）も実質的には＊Ｓと同様に平均値を求めるものであるが、平均値を整数値として得るために、＊Ｓに補正値｛（ｊ−１）／ｊ｝を加算した値から、小数点以下を切り捨てることにより、表示用残量状態データＳn を算出している。
【００３７】
次に、上記ステップＳ９で特定された給紙カセットＫx のうち、Ｋn 以外の給紙カセットＫx に対する表示用残量状態データＳx を上記ステップＳ１２で算出されたＳn に更新する（ステップＳ１３）。この結果、表示用残量状態データテーブルにおける、上記ステップＳ９で特定された給紙カセットＫx の全てに対する表示用残量状態データＳx の値が上記ステップＳ１２で算出されたＳn となる。
【００３８】
この後、ｎ≧Ｎであるか否かを判別する（ステップＳ１４）。ｎがＮ未満（ｎ＜Ｎ）であれば、ステップＳ８に戻る。
【００３９】
全ての給紙カセットＫn に対してステップＳ８〜Ｓ１４の処理が行なわれると、ステップＳ１４でＹＥＳとなり、今回の表示用残量状態データの更新処理を終了する。
【００４０】
以下、図６〜図９を参照して、ｎ＝３で、かつ各給紙カセットＫ1 ，Ｋ2 ，Ｋ3 に同一種別の用紙が収容されている場合について具体的に説明する。
【００４１】
図６〜図９において、左側の表は、実残量状態データＤ1 ，Ｄ2 ，Ｄ3 の全ての組合せを表している。
【００４２】
図６の右側の表は、給紙カセットＫ1 に対してステップＳ１１の処理が行なわれたときに、実残量状態データＤ1 ，Ｄ2 ，Ｄ3 の組合せに応じて、表示用残量状態データテーブルに書き込まれる表示用残量状態データＳ1 を示している。この場合には、Ｓ1 ＝Ｄ1 となる。
【００４３】
図７の右側の表は、給紙カセットＫ2 に対してステップＳ１２の処理が行なわれたときに、実残量状態データＤ1 ，Ｄ2 ，Ｄ3 の組合せに応じて、表示用残量状態データテーブルに書き込まれる表示用残量状態データＳ2 を示している。この場合には、Ｓ2 は、上記式（１）から求められている。この後に、Ｓ1 がＳ2 と等しくなるように更新される。        
【００４４】
図８の右側の表は、給紙カセットＫ3 に対してステップＳ１２の処理が行なわれたときに、実残量状態データＤ1 ，Ｄ2 ，Ｄ3 の組合せに応じて、表示用残量状態データテーブルに書き込まれる表示用残量状態データＳ3 を示している。この場合には、Ｓ3 は、上記式（１）から求められている。この後に、Ｓ1 およびＳ2 が、Ｓ3 と等しくなるように更新され、図９の右側の表のようになる。図９の右側の表に示されている表示用残量状態データＳ1 ，Ｓ2 ，Ｓ3 が、表示部２に表示される。
【００４５】
上記実施例では、Ｋ1 〜Ｋn の給紙カセットのうち、それに収容されるべき用紙種別が、給紙カセットＫn に収容されるべき用紙種別と同一である給紙カセットが２以上存在している場合には、当該同一種別の用紙が収容されるべき複数の給紙カセットの実残量状態データの平均値を実質的に算出して表示用残量状態データＳn としているが、当該同一種別の用紙が収容されるべき複数の給紙カセットの実残量状態データのうちの最大値を表示用残量状態データＳn とするようにしてもよい。
【００４６】
つまり、図５のステップＳ１２において、上記のように平均値を算出する代わりに、Ｋ1 〜Ｋn の給紙カセットのうち、それに収容されるべき用紙種別が、給紙カセットＫn に収容されるべき用紙種別と同一である全ての給紙カセットの実残量状態データのうちの最大値を求め、得られた最大値を表示用残量状態データＳn として表示用残量状態データテーブルに書き込むようにしてもよい。この場合にも、ステップＳ１３においては、上記ステップＳ９で特定された給紙カセットＫx のうち、Ｋn 以外の給紙カセットＫx に対する表示用残量状態データＳx がステップＳ１２で算出されたＳn に更新される。
【００４７】
最大値を表示用残量状態データＳn とする場合の具体例について説明する。ｎ＝３で、かつ各給紙カセットＫ1 ，Ｋ2 ，Ｋ3 に同一種別の用紙が収容されている場合には、実残量状態データＤ1 ，Ｄ2 ，Ｄ3 の各組合せに対する表示用残量状態データＳ1 ，Ｓ2 ，Ｓ3 は、図１０に示すようになる。
【００４８】
上記実施例によれば、同一種別の用紙が収容されている複数の給紙カセットに対しては、それらの複数の給紙カセットの実残量状態データのほぼ平均値または最大値が残量状態として表示される。このため、同一種別の用紙が収容されている複数の給紙カセットのなかに空の給紙カセットが存在していたとしても、これらの給紙カセットのなかに用紙が十分残っている給紙カセットが存在している場合には、これらのいずれの給紙カセットに対しても残量状態が空であるとは表示されなくなる。このため、無駄な用紙補給作業が行なわれにくくなる。
【００４９】
なお、上記実施例では、用紙種別は、用紙のサイズと、用紙の向きとによって規定されているが、用紙のサイズと、用紙の向きと、用紙の種類（材質）とによって規定するようにしてもよい。この場合、用紙の種類（材質）は、ユーザによって入力される。
【００５０】
また、上記実施例では、各給紙カセットに収容されるべき用紙の種別を検出するための用紙種別検出手段が設けられているが、各給紙カセットに収容されるべき用紙の種別をユーザ等によって登録（入力）させるようにしてもよい。その場合には、用紙種別検出手段は不要となる。
【図面の簡単な説明】
【００５１】
【図１】複写機能およびプリンタ機能を備えた複合機の構成を示すブロック図である。
【図２】用紙種別テーブルの例を示す模式図である。
【図３】実残量状態データテーブルの例を示す模式図である。
【図４】表示用残量状態データテーブルの例を示す模式図である。
【図５】表示用残量状態データの更新処理手順を示すフローチャートである。
【図６】ｎ＝３で、かつ各給紙カセットＫ1 ，Ｋ2 ，Ｋ3 に同一種別の用紙が収容されている場合に、給紙カセットＫ1 に対してステップＳ１１の処理が行なわれたときに、実残量状態データＤ1 ，Ｄ2 ，Ｄ3 の組合せに応じて、表示用残量状態データテーブルに書き込まれる表示用残量状態データＳ1 を示す表である。
【図７】ｎ＝３で、かつ各給紙カセットＫ1 ，Ｋ2 ，Ｋ3 に同一種別の用紙が収容されている場合に、給紙カセットＫ2 に対してステップＳ１２の処理が行なわれたときに、実残量状態データＤ1 ，Ｄ2 ，Ｄ3 の組合せ応じて、表示用残量状態データテーブルに書き込まれる表示用残量状態データＳ2 を示す表である。
【図８】ｎ＝３で、かつ各給紙カセットＫ1 ，Ｋ2 ，Ｋ3 に同一種別の用紙が収容されている場合に、給紙カセットＫ3 に対してステップＳ１２の処理が行なわれたときに、実残量状態データＤ1 ，Ｄ2 ，Ｄ3 の組合せ応じて、表示用残量状態データテーブルに書き込まれる表示用残量状態データＳ3 を示す表である。
【図９】給紙カセットＫ3 に対して、ステップＳ１２の処理が終了した後に、Ｓ1 およびＳ2 が、Ｓ3 と等しくなるように更新された状態を示す模式図である。
【図１０】最大値を表示用残量状態データＳn とする場合の具体例を示す表である。
【符号の説明】
【００５２】
１  ＣＰＵ
２  表示部
３  操作部
４  記憶部
５  Ｉ／Ｆ
６  画像メモリ
７  読取部
１１＿１〜１１＿Ｎ  用紙種別検出手段
１２＿１〜１２＿Ｎ  用紙残量検出手段
【図１】
2008249840.tif 000003
【図２】
2008249840.tif 000004
【図３】
2008249840.tif 000005
【図４】
2008249840.tif 000006
【図５】
2008249840.tif 000007
【図６】
2008249840.tif 000008
【図７】
2008249840.tif 000009
【図８】
2008249840.tif 000010
【図９】
2008249840.tif 000011
【図１０】
2008249840.tif 000012